(57)【要約】【課題】複数の呈色により情報を表示可能、且つ、彩度を向上させることができる情報表示媒体及び情報表示媒体付き物品を提供すること。【解決手段】情報表示媒体２０は、空気よりも高い屈折率を有する材料により、光を透過可能な誘電体層２４と、光が透過可能な厚さを有し、誘電体層２４の一方の主面側に設けられる金属層２２と、誘電体層２４の他方の主面側であって金属層２２が設けられた領域に、光が通過可能な間隔を空けて設けられた複数の銀粒子２８により構成された銀粒子層２６と、を備える。【選択図】      図２
2017185668.tif 000002
【特許請求の範囲】
【請求項１】
空気よりも高い屈折率を有する材料により形成された、光を透過可能な誘電体層と、
光が透過可能な厚さを有し、前記誘電体層の一方の主面側に設けられる金属層と、
前記誘電体層の他方の主面側であって前記金属層が設けられた領域の少なくとも一部に、光が通過可能な間隔を空けて設けられた複数の銀粒子により構成された銀粒子層と、
を備えることを特徴とする情報表示媒体。
【請求項２】
前記誘電体層、前記銀粒子層及び前記金属層が一体に積層されることを特徴とする請求項１に記載の情報表示媒体。
【請求項３】
前記銀粒子層及び前記誘電体層を覆う保護層を更に備えていることを特徴とする請求項１または請求項２に記載の情報表示媒体。
【請求項４】
空気よりも高い屈折率を有する材料により形成された、光を透過可能な誘電体層、光が透過可能な厚さを有し、前記誘電体層の一方の主面側に設けられる金属層及び前記誘電体層の他方の主面側であって前記金属層が設けられた領域に、光が通過可能な間隔を空けて設けられた複数の銀粒子により構成された銀粒子層を備える情報表示媒体と、
前記情報表示媒体と別体、又は、一体に設けられる基材と、
を備えることを特徴とする情報表示媒体付き物品。
【請求項５】
前記誘電体層、前記銀粒子層及び前記金属層が一体に積層されることを特徴とする請求項４に記載の情報表示媒体付き物品。
【請求項６】
前記情報表示媒体は、前記基材を挟んで、前記金属層、前記誘電体層及び前記銀粒子層が設けられ、前記金属層、前記誘電体層及び前記銀粒子層が順に配置されていることを特徴とする請求項５に記載の情報表示媒体付き物品。
【請求項７】
前記誘電体層は複数設けられ、複数の前記誘電体層の厚さの和は、光が透過可能な厚さに構成されることを特徴とする請求項６に記載の情報表示媒体付き物品。
【請求項８】
前記銀粒子層及び前記誘電体層は、保護層により覆われていることを特徴とする請求項４乃至請求項７のいずれか１項に記載の情報表示媒体付き物品。
【発明の詳細な説明】
【技術分野】
【０００１】
本発明は光学技術により生じさせた呈色により視覚効果を奏する情報表示媒体及び情報表示媒体付き物品に関する。
【背景技術】
【０００２】
有価証券、証明書、ブランド品、高価格商品、電子機器及び個人認証媒体等の物品には、これらの物品の品質を保証するため、偽造が困難な情報表示媒体が設けられている。このような情報表示媒体は、上記物品に貼付等により付されたことにより、または、上記物品の一部として構成されることにより、上記物品の偽造を防止し、他者の模倣や偽造等から物品を保護している。
【０００３】
このような情報表示媒体は、偽造防止効果を得るために光学技術を利用して、特別な視覚効果を生じさせている。例えば、このような光学技術として、特殊なインクや顔料を利用し、光が反射するときの分光特性を通常の光の反射と異ならせることで情報を表示させる技術（例えば、特許文献１参照。）や、物体表面を反射する光及び物体を透過する光を利用しての複数の情報を物体の表裏面に表示する技術（例えば、非特許文献１参照。）が知られている。
【０００４】
また、これらの技術は、偽造防止効果を生じさせるだけではなく、高い視覚効果を有することから、例えば、情報表示媒体の装飾の一部として利用される。
【先行技術文献】
【特許文献】
【０００５】
【特許文献１】特開平７−７２６６２号公報
【非特許文献】
【０００６】
【非特許文献１】Ｋ．Ｓａｉｔｏ  ａｎｄ  Ｔ．  Ｔａｔｓｕｍａ，“Ａｓｙｍｍｅｔｒｉｃ  Ｔｈｒｅｅ−Ｗａｙ  Ｐｌａｓｍｏｎｉｃ  Ｃｏｌｏｒ  Ｒｏｕｔｅｒｓ”，  ＡＤＶＡＮＣＥＤ．ＯＰＴＩＣＡＬ．  ＭＡＴＥＲＩＡＬＳ，２０１５  ３，  ｐ．８８３−８８７
【発明の概要】
【発明が解決しようとする課題】
【０００７】
このような情報表示媒体は、流通している他の情報表示媒体との差別化のため、従来の光学技術よりも高い視覚効果を奏する光学技術が求められている。特に、昨今の技術向上による偽造の容易化やアイキャッチ性の低下に伴い、より偽造が困難な光学技術やデザイン性を向上できる光学技術を用いた情報表示媒体が求められている。
【０００８】
そこで、本発明は、複数の呈色により情報を表示可能、且つ、彩度を向上させることができる情報表示媒体及び情報表示媒体付き物品を提供することを目的とする。
【課題を解決するための手段】
【０００９】
前記課題を解決し目的を達成するために、本発明の情報表示媒体及び情報表示媒体付き物品は、次のように構成されている。
【００１０】
本発明の一態様として、情報表示媒体は、空気よりも高い屈折率を有する材料により形成された、光を透過可能な誘電体層と、光が透過可能な厚さを有し、前記誘電体層の一方の主面側に設けられる金属層と、前記誘電体層の他方の主面側であって前記金属層が設けられた領域に、光が通過可能な間隔を空けて設けられた複数の銀粒子により構成された銀粒子層と、を備える。
【００１１】
また、本発明の一態様として、情報表示媒体付き物品は、空気よりも高い屈折率を有する材料により形成された、光を透過可能な誘電体層、光が透過可能な厚さを有し、前記誘電体層の一方の主面側に設けられる金属層及び前記誘電体層の他方の主面側であって前記金属層が設けられた領域に、光が通過可能な間隔を空けて設けられた複数の銀粒子により構成された銀粒子層を備える情報表示媒体と、前記情報表示媒体と別体、又は、一体に設けられる基材と、を備える。
【発明の効果】
【００１２】
本発明によれば、複数の呈色により情報を表示可能、且つ、彩度を向上させることができる情報表示媒体及び情報表示媒体付き物品を提供することができる。
【図面の簡単な説明】
【００１３】
【図１】本発明の第１の実施形態に係る情報表示媒体付き物品の構成を示す平面図。
【図２】同情報表示媒体付き物品に設けられた情報表示媒体の要部の構成を示す断面図。
【図３】本発明の第２の実施形態に係る情報表示媒体の要部の構成を示す断面図。
【図４】本発明の第３の実施形態に係る情報表示媒体の要部の構成を示す断面図。
【発明を実施するための形態】
【００１４】
以下、本発明の態様について、図１及び図２を用いて説明する。図１は、第１の実施形態に係る情報表示媒体付き物品１の構成を示す平面図であり、図２は、情報表示媒体付き物品１に設けられた情報表示媒体２０を図１中のＩＩ―ＩＩ線断面で示す断面図である。
【００１５】
図１に示すように、情報表示媒体付き物品１は、基材１０と、基材１０の一方の主面１２の一部に形成される情報表示媒体２０と、を備える。
【００１６】
基材１０は、基材１０の一方または両方の主面に文字や図柄等の情報を記載されたものであり、例えば、個人認証媒体等の物品である。
【００１７】
基材１０は、例えば、平坦な主面１２を有するシート状またはカード状に構成される。基材１０は、光を透過する材料により構成される。例えば、基材１０は、ガラス材料または樹脂材料等の透光性を有する材料により構成される。
【００１８】
情報表示媒体２０は特別な視覚効果を備える表示体である。ここで、特別な視覚効果とは、情報表示媒体２０に入射した光の一部を反射させ、当該光の他の一部を透過させることで、複数の呈色を生じさせることにより情報を表示する効果である。
【００１９】
図１に示すように、情報表示媒体２０は、基材１０の一部に一体に形成されるかまたは貼付により一体に設けられる構成である。情報表示媒体２０は、金属層２２と、誘電体層２４と、銀粒子層２６とが一体に積層されることで構成される。例えば、図２に示すように、情報表示媒体２０は、少なくともその領域の一部に一体に積層された金属層２２、誘電体層２４及び銀粒子層２６を有することで構成される。
【００２０】
図２に示すように、金属層２２は、基材１０の主面１２に設けられる。金属層２２は、金属材料により薄膜状に構成された層である。金属層２２は、光を透過する厚さに形成される。金属層２２は、一様な厚さに構成される。金属層２２の厚さは、５ｎｍ以上１００ｎｍ以下に構成される。金属層２２の厚さは、求められる視覚効果により適宜設定される。
【００２１】
金属層２２は、金属、合金または金属光沢を有する材料により構成される。金属材料としては、例えば、アルミニウムや銀、金、銅、錫、ニッケル等である。また、合金材料としては、例えば、鋼、ステンレス、ジュラルミン等である。また、金属光沢を有する材料としては、例えば、窒化チタン等である。
【００２２】
また、金属層２２の形成方法としては、ドライコーティング技術により形成される。ドライコーティング技術としては、例えば、蒸着、スパッタリング、ＣＶＤ（化学気相成長）等が知られている。また、金属層２２が設けられる方法であれば、ウェットコーティングを用いてもよい。また、金属層２２は、単層構造または多層構造により構成される。
【００２３】
例えば、金属層２２は、アルミニウムの単層構造で、厚さが１０ｎｍ程度となるように蒸着により形成される。
【００２４】
誘電体層２４は、金属層２２の主面２３に一体に設けられる。誘電体層２４は、高屈折率を有する材料により薄膜状に構成された層である。誘電体層２４は、光を透過する厚さに形成される。誘電体層２４は、一様な厚さに構成される。誘電体層２４の厚さは１０ｎｍ以上１０００ｎｍ以下に構成される。誘電体層２４の厚さは、求められる視覚効果により適宜設定される。
【００２５】
誘電体層２４を構成する高屈折率を有する材料とは、空気よりも屈折率が高い材料のことである。例えば、誘電体層２４は、屈折率が１．６より大きい材料により構成される。誘電体層２４は、例えば、ＳｉＯ２（二酸化ケイ素）、ＴｉＯ２（二酸化チタン）、ＭｇＯ（酸化マグネシウム）等の金属酸化物またはそれらの混合物により構成される。
【００２６】
なお、誘電体層２４は、樹脂材料等の高分子材料や、液晶材料等の光学異方性を有する材料により構成されていてもよい。また、誘電体層２４は、これらの材料を単層構造または多層構造により構成される。誘電体層２４は、例えば、蒸着、スパッタリング、ＣＶＤ等のドライコーティング技術、または、グラビア印刷等のウェットコーティング技術により形成される。
【００２７】
誘電体層２４の厚さは、例えば、ＴｉＯ２の単層構造で厚さが４０ｎｍ程度となるように真空蒸着により形成される。
【００２８】
銀粒子層２６は、第１領域３２の誘電体層２４の主面２５に設けられる。銀粒子層２６は、特定の波長の光をトラッピングするとともに、トラッピングした光を拡散反射光として放出するための複数の銀粒子２８を有する。銀粒子層２６は、主面２５の所定の領域に複数の銀粒子２８が分散して配置されることで構成される。換言すると、複数の銀粒子２８は、単位面積当たりの密度が所定の密度となるように、誘電体層２４の主面２５上に点在し、隣り合う銀粒子２８の間に光が通過する隙間を有している。
【００２９】
換言すると、銀粒子層２６を構成する複数の銀粒子２８は、その数や隣り合う銀粒子２８間の間隔等、単位面積当たりの密度が所定の密度となるように、求められる視覚効果により適宜設定される。例えば、銀粒子層２６は、所定の大きさの銀粒子２８を溶媒中に所定量分散させた銀粒子溶液を作成し、ここから所定量の銀粒子溶液を分取し、誘電体層２４上に滴下し、溶媒を乾燥させることにより銀粒子層２６を形成する。
【００３０】
また、銀粒子２８は、その高さが７０ｎｍ以上１５０ｎｍ以下に構成された立方体状に形成される。例えば、銀粒子２８は、約１辺７５ｎｍのキューブ状に構成される。なお、銀粒子２８は直方体形状でも良く、球状でも良い。また、多角形形状を有していても良い。
このような、情報表示媒体２０は、金属層２２、誘電体層２４及び銀粒子層２６により構成される第１領域３２と、金属層２２、誘電体層２４及び銀粒子層２６の一部により構成される第２領域３４、第３領域３６及び第４領域３８と、を備える。
【００３１】
図１に示すように、第１領域３２は、所定の情報を表示する領域であり、例えば、情報表示媒体２０上に円形状に区画される領域である。第１領域３２は、基材１０の上に金属層２２、誘電体層２４及び銀粒子層２６が一体に積層される。第１領域３２は、金属層２２、誘電体層２４及び銀粒子層２６により視覚効果を奏することで、第２領域３４、第３領域３６、第４領域３８よりも高い視覚効果を有する。すなわち、第１領域３２は、高い装飾効果を有し、偽造防止手段を構成する。
【００３２】
図１に示すように、第２領域３４は、所定の情報を表示する領域であり、例えば、情報表示媒体２０上に三角形状に区画される領域である。また、第２領域３４は、基材１０の上に誘電体層２４及び銀粒子層２６が一体に積層されることで構成される。第２領域３４は、誘電体層２４及び銀粒子層２６により視覚効果を奏する。
【００３３】
また、図１に示すように、第３領域３６は、所定の情報を表示する領域であり、例えば、情報表示媒体２０上に四角形状に区画される領域である。第３領域３６は、基材１０の上に金属層２２、誘電体層２４が一体に積層されることで構成される。第３領域３６は、金属層２２及び誘電体層２４により視覚効果を奏する。
【００３４】
なお、例えば、第１領域３２乃至第３領域３６は、上述の形状としているがこれらの形状に限定されることなく、絵柄や記号、数字、文字、幾何学模様等といった種々のパターンで形成することができる。
【００３５】
また、図１に示すように、例えば、第４領域３８は、第１領域３２、第２領域３４、第３領域３６の周囲に設けられ、情報表示媒体の外郭形状に構成された領域である。また、第４領域３８は、基材１０の上に誘電体層２４が積層されることで構成される。第４領域３８は、誘電体層２４により視覚効果を奏する。
【００３６】
次に、本実施形態に用いられる情報表示媒体２０の製造工程の一例を示す。  
第１工程として、基材１０の第１領域３２及び第３領域３６に該当する領域に、真空蒸着法により、厚さが１０ｎｍ程度となるようにアルミニウムをパターン蒸着する。これにより、基材１０の主面１２の一部に金属層２２を形成する。
【００３７】
第２工程として、基材１０の第１領域乃至第４領域３８に該当する領域の主面１２及び金属層２２の主面２３に、真空蒸着法により、厚さが４０ｎｍ程度となるようにＴｉＯ２をパターン蒸着する。これにより、誘電体層２４を形成する。
【００３８】
第３工程としてまず、高さが約７５ｎｍの大きさの立方体状の銀粒子２８を溶媒中に所定量分散させた銀粒子溶液を作成する。次に、所定量の銀粒子溶液を分取し、誘電体層２４の第１領域３２及び第２領域３４上に滴下し、溶媒を乾燥させる。これにより、銀粒子層２６を形成する。
【００３９】
これらの工程により、第１領域３２、第２領域３４、第３領域３６及び第４領域３８を有する情報表示媒体２０が基材１０上に製造される。
【００４０】
続いて、情報表示媒体付き物品１に設けられた情報表示媒体２０の視覚効果について、図２を用いて説明する。なお、図２において、Ｌ１は、情報表示媒体付き物品１の情報表示媒体２０側に設けられた点光源を示し、Ｌ２は、情報表示媒体付き物品１の基材１０側に設けられた点光源Ｌ２を示す。また、Ｓ１は、情報表示媒体付き物品１の情報表示媒体２０側の観察点を示し、Ｓ２は、情報表示媒体付き物品１の基材１０側の観察点を示す。
【００４１】
まず、点光源Ｌ１が点灯した状態で観察点Ｓ１から情報表示媒体２０を観察した場合の情報表示媒体２０の視覚効果について説明する。
【００４２】
第１領域３２へ入射した光の一部は、銀粒子層２６の各銀粒子２８、金属層２２及び誘電体層２４で反射する。反射光により、第１領域３２は、正反射光として黄色を表示し、拡散反射光として青色を表示する。
【００４３】
ここで、正反射光とは、いわゆる反射の法則により、光の入射角が反射面に対して同じ角度になるように射出される光である。拡散反射光とは、入射光が様々な方向に反射して射出される光のことである。すなわち、第１領域３２は、２種類の異なる色の光を表示する。
【００４４】
第２領域３４へ入射した光の一部は、銀粒子層２６の各銀粒子２８及び誘電体層２４で反射する。反射光により、第２領域３４は、正反射光として青色を表示し、拡散反射光として黄色を表示する。すなわち、第２領域３４の正反射光の色と拡散反射光の色とは、第１領域３２の正反射光の色と拡散反射光の色とそれぞれ異なる色を表示する。
【００４５】
また、第３領域３６へ入射した光の一部は、銀粒子層２６を備えていない構成であるため、誘電体層２４及び金属層２２で反射する。反射光により、第３領域３６は、金属光沢色を表示する。
【００４６】
また、第４領域３８は、誘電体層２４で構成されている。このため、第４領域３８に入射した光の一部は、誘電体層２４で反射する。反射光により第４領域３８は、誘電体層２４の色を表示する。このように、第１領域３２から第４領域３８は、複数の色で異なる情報を表示する。
【００４７】
次に、点光源Ｌ１が点灯した状態で、観察点Ｓ２から観察した場合について説明する。  
第１領域３２へ入射した光の一部は、銀粒子層２６の各銀粒子２８の隙間を通過し、誘電体層２４及び金属層２２を透過する。透過光により第１領域３２は、赤色を表示する。
【００４８】
また、第２領域３４へ入射した光の一部は、銀粒子層２６の各銀粒子２８の隙間を通過し、誘電体層２４を透過する。透過光により第２領域３４は、赤色を表示する。
【００４９】
第３領域３６へ入射した光の一部は、誘電体層２４及び金属層２２を透過する。透過光により第３領域３６は、金属層２２の材料の色を表示する。
【００５０】
また、第４領域３８へ入射した光の一部は、誘電体層２４を透過する。透過光により第４領域３８は、誘電体層２４の材料の色を表示する。このように、透過光により第１領域３２から第４領域３８は、複数の色で異なる情報を表示する。
【００５１】
次に、点光源Ｌ２が点灯した状態で観察点Ｓ２から観察した場合の情報表示媒体２０の視覚効果について説明する。
【００５２】
第１領域３２へ入射した光の一部は、基材１０を透過し、金属層２２、誘電体層２４及び銀粒子層２６の各銀微粒子２８で反射する。反射光により、第１領域３２は、正反射光として青色を表示し、拡散反射光として黄色を表示する。すなわち、第１領域３２は、点光源Ｌ１が点灯した状態で観察点Ｓ１から観察した場合と異なる色の正反射光と拡散反射光を表示する。
【００５３】
第２領域３４へ入射した光の一部は、基材１０を透過し、誘電体層２４及び銀粒子層２６の各銀微粒子２８で反射する。反射光により、第２領域３４は、正反射光として黄色を表示し、拡散反射光として青色を表示する。すなわち、第２領域３４の正反射光と拡散反射光の色とは、第１領域３２の正反射光と拡散反射光の色と、それぞれ異なる色を表示する。
【００５４】
また、第３領域３６へ入射した光の一部は、銀粒子層２６を備えていない構成であるため、金属層２２及び誘電体層２４で反射する。反射光により、第３領域３６は、金属光沢色を表示する。
【００５５】
また、第４領域３８は、基材１０の主面１２に誘電体層２４が積層される構成である。このため、第４領域３８に入射した光の一部は、基材１０を透過し、誘電体層２４で反射する。反射により、第４領域３８は、誘電体層２４の色を表示する。このように、第１領域３２から第４領域３８は、複数の色で異なる情報を表示する。
【００５６】
次に、点光源Ｌ２が点灯した状態で、観察点Ｓ１から観察した場合について説明する。  
第１領域３２へ入射した光の一部は、金属層２２及び誘電体層２４を透過し、銀粒子層２６の各銀粒子２８の隙間を通過する。透過光により第１領域３２は、赤色を表示する。
【００５７】
また、第２領域３４へ入射した光の一部は、誘電体層２４を透過し、銀粒子層２６の各銀粒子２８の隙間を通過する。透過光により第２領域３４は、赤色を表示する。
【００５８】
第３領域３６へ入射した光の一部は、金属層２２及び誘電体層２４を透過する。透過光により第３領域３６は、金属層２２の材料の色を表示する。
【００５９】
また、第４領域３８へ入射した光の一部は、誘電体層２４を透過する。透過光により第４領域３８は、誘電体層２４の材料の色を表示する。このように、透過光により第１領域３２から第４領域３８は、複数の色で異なる情報を表示する。
【００６０】
このように構成された情報表示媒体付き物品１は、情報表示媒体２０の少なくとも一部に、金属層２２、誘電体層２４及び銀粒子層２６を一体に積層することで、当該積層した領域において、複数の呈色により情報を表示可能、且つ、表示される情報の彩度を向上可能となる。
【００６１】
具体的には、情報表示媒体２０は、誘電体層２４の主面２３に銀粒子層２６を積層する構成を備えることにより、正反射光と拡散反射光の色を変えて表示するとともに、正反射光及び拡散反射光の色と異なる色の透過光を表示することができる。また、情報表示媒体２０は、金属層２２を備える構成とすることで、正反射光と拡散反射光により表示される色の彩度を向上することから、流通している他の情報表示媒体や光学技術と差別化をすることができる。
【００６２】
また、情報表示媒体２０が一部に形成された情報表示媒体付き物品１は、情報表示媒体２０の少なくとも一部に金属層２２、誘電体層２４及び銀粒子層２６を積層する構成を備える。このような構成の情報表示媒体付き物品１は、情報表示媒体２０により、その一部に正反射光、拡散反射光及び透過光のそれぞれで異なる呈色により情報を表示させることで、高い偽造防止効果を備えるとともに、デザインとしても高い装飾効果を有している。
【００６３】
上述したように本発明の第１の実施形態に係る情報表示媒体２０を用いた情報表示媒体付き物品１は、金属層２２、誘電体層２４及び銀微粒子層２６を一体に積層することで複数の呈色により情報を表示可能、且つ、彩度を向上させることができる。
【００６４】
（第２の実施形態）
以下、本発明に係る第２の実施形態について図３を用いて説明する。
【００６５】
図３は、情報表示媒体付き物品１に用いられる第２の実施形態に係る情報表示媒体２０Ａの構成を図１中のＩＩＩ−ＩＩＩ線断面で示す断面図である。なお、第２の実施形態に係る情報表示媒体２０Ａの構成のうち、第１の実施形態に係る情報表示媒体２０と同様の構成には、同一符号を付し、その詳細な説明は省略する。
【００６６】
図３に示すように、情報表示媒体２０Ａは、基材１０の一部に一体に形成されるかまたは貼付により一体に設けられる構成である。図３に示すように、情報表示媒体２０Ａは、上述の情報表示媒体２０の構成に加えて、保護層４０を有する。
【００６７】
保護層４０は、誘電体層２４の主面２５及び銀粒子層２６を覆うように、誘電体層２４の主面２５及び銀粒子層２６に積層されることで構成される。保護層４０は、例えば、誘電体層２４からの高さが一様で、平坦に構成される。
【００６８】
保護層４０は、誘電体層及び銀粒子層２６を物理的及び化学的に保護するための膜である。物理的に保護するとは、例えば、誘電体層２４に固定される銀粒子２８が外力により誘電体層２４の主面２５から剥離されることを防止すること、及び、誘電体層２４の表面が外力により破損されることを防止することである。また、化学的に保護するとは、例えば、銀粒子層２６を構成する銀粒子２８を空気中に含まれる腐食ガスによる腐食から防ぐことである。ここで、腐食ガスとは、例えば、硫化水素である。
【００６９】
保護層４０は、光を透過する厚さに形成される。保護層４０は、樹脂材料等の高分子材料により構成される。また、保護層４０は、例えば、ＳｉＯ２、ＴｉＯ２若しくはＭｇＯ等の金属酸化物、ＭｇＦ２等の金属フッ化物、無機物材料及びそれらの混合物により構成されていてもよい。
【００７０】
なお、保護層４０が誘電体層２４を形成する材料で構成されるときは、誘電体層２４と保護層４０を合わせた厚さにおいても光を透過することができる構成とする。
【００７１】
また、保護層４０は、単層構造または多層構造とすることができる。また、保護層４０は、顔料または色素を混合することにより構成されていてもよい。
【００７２】
このような情報表示媒体付き物品１に用いられる情報表示媒体２０Ａは、上記の誘電体層２４及び銀粒子層２６を覆う保護層４０を有することにより、上述の第１の実施形態の効果に加えて、誘電体層２４及び銀粒子層２６を化学的及び物理的に保護することができる。このため、情報表示媒体２０Ａは、情報表示媒体付き物品１に付されて移動する場合の汚れや外力等から誘電体層２４及び銀粒子層２６を保護することができる。このため、情報表示媒体２０Ａは、より長く特別な視覚効果を保持することができる。
【００７３】
なお、本発明は上述した各実施形態に限定されない。上述した例では、情報表示媒体２０の少なくとも一部に、金属層２２、誘電体層２４及び銀粒子層２６を一体に積層する構成として記載しているがこれに限られず、情報表示媒体２０の全面に渡って金属層２２、誘電体層２４及び銀粒子層２６を一体に積層する構成としてもよい。
【００７４】
また、上述した例では、情報表示媒体２０は、基材１０の一方の主面１２に金属層２２、誘電体層２４及び銀粒子層２６を一体に積層する構成を説明したがこれに限定されない。
【００７５】
例えば、図４に示すような第３の実施形態に係る情報表示媒体２０Ｂに示すように、基材１０を挟んで金属層２２、誘電体層２４、銀粒子層２６を配置することで、基材１０、金属層２２、誘電体層２４、銀粒子層２６を一体に積層する構成であってもよい。
【００７６】
具体的に説明すると、情報表示媒体２０Ｂは、基材１０の一方の主面１２側に金属層２２、誘電体層２４、銀粒子層２６を一体に積層し、他方の主面１４側にさらに誘電体層２４を積層した第５領域５２と、基材１０の一方の主面１２側に金属層２２及び誘電体層２４を一体に積層し、他方の主面１４に誘電体層２４及び銀粒子層２６を一体に積層した第６領域５４と、を配置する構成とを備える。
【００７７】
第５領域５２は、誘電体層２４、基材１０、金属層２２、誘電体層２４、銀粒子層２６を順次一体に積層する。このとき、第５領域５２の２層の誘電体層２４の厚さの和は、光が透過可能な厚さに構成される。
【００７８】
第６領域５４は、誘電体層２４、金属層２２、基材１０、誘電体層２４、銀粒子層２６を順次一体に積層する。第５領域５２の銀粒子層２６は、第６領域５４の銀粒子層２６と逆側に配置される。また、第６領域５４の２層の誘電体層２４の厚さの和は、光が透過可能な厚さに構成される。
【００７９】
このように構成された情報表示媒体２０Ｂは、上述した情報表示媒体２０と同様に複数の呈色により情報を表示可能であるとともに、彩度を向上することができる。
【００８０】
加えて、情報表示媒体２０Ｂの第５領域５２は、上述した第１領域３２と同様の視覚効果を有する。これは、基材１０は透明な材料により形成されているため、金属層２２、誘電体層２４及び銀粒子層２６の間に構成されるとともに、２層の誘電体層２４の厚さの和は、光が透過可能な厚さに構成されるためである。
【００８１】
同様に、第６領域５４は、第５領域５２と同様の視覚効果を有する。なお、第５領域５２及び第６領域５４は、銀粒子層２６が基材１０を挟んで反対側に設けられることから、基材１０の一方側の主面１２、１４からみた第５領域５２の視覚効果と、基材１０の他方側の主面１４、１２からみた第６領域５４の視覚効果とが同じになる。このため、一方の主面からみたときは、第５領域５２と第６領域５４の視覚効果が異なり、異なる情報を表示できる。
【００８２】
また、基材１０の両主面に銀粒子層２６を設ける場合に、主面の一方側または他方側に設けた金属層２２や誘電体層２４を用いることができることから容易に情報表示媒体２０Ｂを製造することができる。
【００８３】
また、上述した例では、誘電体層２４及び銀粒子層２６が護層４０により覆われていない構成を説明したが、これに限定されず、情報表示媒体２０Ａと同様に、誘電体層２４及び銀粒子層２６を覆うように、保護層４０を設けてもよい。
【００８４】
また、上述した例では、金属層２２及び誘電体層２４は、一様な厚さを有する構成を説明したがこれに限定されず、金属層２２及び誘電体層２４は、連続的または不連続的に異なる厚さに配置されていてもよく、さらに周期的に厚さを異ならせて配置してもよい。
【００８５】
また、上述した例では、銀粒子層２６は、複数の銀粒子２８のみを有する構成を説明したが、これに限定されない。例えば、銀粒子層２６は、複数の銀粒子２８とこれら銀粒子２８を分散させた樹脂により構成されたバインダーとを備える構成であってもよい。例えば、このような構成の銀粒子層２６は、軟化したバインダーに複数の銀粒子２８を所定量分散させ、誘電体層２４上に塗布し、その後バインダーを硬化させることにより形成される。また、上述した例では、銀粒子層２６は、複数の銀粒子２８を分散させ点在させる構成として説明したがこれに限定されず、複数の銀粒子２８を正方配列や六方配列等により規則的に配置されていてもよい。
【００８６】
また、上述した例では、情報表示媒体２０に絵柄を表示しているがこれに限られず、例えば、第１領域３２を１つの画素とし、複数の画素を配列させることにより、絵柄や文字、記号、数字、幾何学模様等を表示する構成とすることもできる。
【００８７】
また、上述した例では、情報表示媒体２０は、基材１０と一体に形成されているがこれに限られず、情報表示媒体２０を基材１０と別体に形成し、基材１０に貼付する、例えば、接着剤を用いて接着する構成とすることもできる。
【００８８】
また、上述した例では、情報表示媒体付き物品１は、基材１０に情報表示媒体２０を用いた個人認証媒体等の物品を説明したがこれに限定されず、基材１０は、例えば、有価証券、証明書、ブランド品、高価格商品、電子機器、玩具、学習教材、商品の装飾品またはポスター等であってもよい。
【００８９】
また、上述した例では、情報表示媒体２０は、両主面側からの視覚効果を説明したが、情報表示媒体２０は、銀粒子層２６が設けられた側からのみ視認する基材（物品）１０に用いる構成であってもよい。上述したように情報表示媒体２０は、金属層２２、誘電体層２４及び銀粒子層２６により、正反射光、拡散反射光及び透過光の３つの呈色を表示する、視覚効果を奏するが、正反射光及び拡散反射光のみであっても、異なった呈色と、高い彩度を生ずることができるため、従来の情報表示媒体と比較して、偽造が困難であって、高いデザイン性を有する効果を奏する。ただし、反射光及び透過光を視認することが可能に基材１０に情報表示媒体２０を設ける構成の方がより効果を奏することは言うまでもない。
【００９０】
また、上述した情報表示媒体２０は、透過光と反射光で、表示される情報を異ならせることが可能であることから、例えば、情報表示媒体２０の表裏を示すインジケータとしても利用することができる。この他、本発明の要旨を逸脱しない範囲で、種々変形実施可能である。
【符号の説明】
【００９１】
１…情報表示媒体付き物品、１０…基材、１２…主面、１４…主面、２０…情報表示媒体、２０Ａ…情報表示媒体、２０Ｂ…情報表示媒体、２２…金属層、２３…主面、２４…誘電体層、２５…主面、２６…銀粒子層、２８…銀粒子、３２…第１領域、３４…第２領域、３６…第３領域、３８…第４領域、４０…保護層、５２…第５領域、５４…第６領域。
【図１】
2017185668.tif 000003
【図２】
2017185668.tif 000004
【図３】
2017185668.tif 000005
【図４】
2017185668.tif 000006